(57)【要約】  【課題】  ＲＦタグを付して印刷物を管理する際に、すでに蓄積されている情報を継承しつつ、さらに新たな情報を追記し、文書管理の履歴を残すことはできない。  【解決手段】  本発明は、原本紙の紙面を複写用紙に複写し、ＲＦタグ付原本紙のＲＦタグに書き込まれているタグ情報を取得して利用できる複写装置を提案するものである。取得したタグ情報に基づいてタグ情報の内容を文字や、バーコード（一次元、二次元）に加工した情報などを印刷することができる。また、原本紙に付されたＲＦタグの内容だけでなく、原本紙の紙面の内容や、時間情報を複写用紙のＲＦタグに記録することができる。なお、原本紙の紙面を電子データ化したものは要約関数にて要約した要約済電子データへと変換するとしてもよい。さらに、タグ情報に基づいて複写装置自身を制御することもできる。【選択図】            図２
2007043454.tif 000002
【特許請求の範囲】
【請求項１】
ＲＦタグ付原本紙を配置するＲＦタグ付原本紙配置部と、
ＲＦタグ付原本紙配置部に配置されたＲＦタグ付原本紙のＲＦタグに書き込まれているタグ情報を取得するタグ情報取得部と、
原本紙の紙面を、複写用紙に複写する複写部と、
を有する複写装置。
【請求項２】
複写部は、タグ情報取得部にて取得したタグ情報に基づいて複写用紙にタグ依存情報を印刷するタグ依存情報印刷手段を有する請求項１に記載の複写装置。
【請求項３】
複写用紙は、ＲＦタグ付複写用紙である場合に、
情報をＲＦタグ付複写用紙のＲＦタグに記録するタグ情報記録部を有する請求項１又は２に記載の複写装置。
【請求項４】
前記タグ情報記録部は、タグ情報取得部が取得したタグ情報を記録するための原本紙タグ情報記録手段を有する請求項３に記載の複写装置。
【請求項５】
時間情報生成部を有し、
タグ情報記録部は、時間情報生成部にて生成された時間情報を記録する時間情報記録手段を有する請求項３に記載の複写装置。
【請求項６】
複写部は、原本紙の紙面を電子データとする電子データ変換手段を有し、
タグ情報記録部は、電子データ変換手段にて変換された電子データを記録する紙面情報記録手段を有する請求項３に記載の複写装置。
【請求項７】
電子データ変換手段にて変換された電子データを要約関数にて要約する要約部を有し、
前記タグ情報記録部は、前記要約部で要約された原本紙の紙面の電子データである要約済電子データをＲＦタグ付複写用紙のＲＦタグに記録する要約済電子データ記録手段を有する請求項６に記載の複写装置。
【請求項８】
複写装置自身を制御するための制御部を有し、
制御部は、タグ情報取得部にて取得されたタグ情報に基づいて前記制御を実行する請求項１から７のいずれか一に記載の複写装置。
【請求項９】
制御部は、タグ情報取得部にて取得されたタグ情報に基づいて複写部のスキャニングを制御する複写制御手段を有する請求項８に記載の複写装置。
【請求項１０】
複写制御手段は、タグ情報取得部にて取得されたタグ情報に基づいて原本紙の紙面の全部又は一部の複写を禁止するための禁止制御器を有する請求項９に記載の複写装置。
【請求項１１】
タグ情報取得部の電波発信器又は／及び電波受信器は、スキャニング手段の走査機構に配置されている請求項１から１０のいずれか一に記載の複写装置。
【請求項１２】
タグ情報取得部の電波発信器又は／及び電波受信器は、ＲＦタグ付原本が原本セット皿からＲＦタグ付原本紙配置部に至る経路中に設けられている請求項１から１０のいずれか一に記載の複写装置。
【請求項１３】
タグ情報取得部の電波発信器又は／及び電波受信器は、スキャニング手段がスキャニングする際に外光がスキャニングされるのを防止するための蓋に配置されている請求項１から１０のいずれか一に記載の複写装置。
【請求項１４】
タグ情報記録部の電波発信器又は／及び電波受信器は、ＲＦタグ付複写用紙が複写部から排出された後、複写済み用紙受け皿に至る経路中に設けられた請求項１から１３のいずれか一に記載の複写装置。
【請求項１５】
ＲＦタグ付原本紙を配置するＲＦタグ付原本紙配置ステップと、
ＲＦタグ付原本配置ステップにて配置されたＲＦタグ付原本紙のＲＦタグに書き込まれているタグ情報を取得するタグ情報取得ステップと、
原本紙の紙面を、複写用紙に複写する複写ステップと、
を有する複写方法。
【請求項１６】
ＲＦタグ付原本紙を配置するＲＦタグ付原本紙配置ステップと、
ＲＦタグ付原本配置ステップにて配置されたＲＦタグ付原本紙のＲＦタグに書き込まれているタグ情報を取得するタグ情報取得ステップと、
タグ情報取得ステップにて取得したタグ情報に基づいて複写用紙にタグ依存情報を印刷するタグ依存情報印刷ステップと、
を有する複写方法。
【請求項１７】
複写用紙は、ＲＦタグ付複写用紙である場合に、
情報をＲＦタグ付複写用紙のＲＦタグに記録するタグ情報記録ステップを有する請求項１５又は１６に記載の複写方法。
【請求項１８】
原本紙の紙面を電子データとする電子データ変換ステップを有し、
電子データ変換ステップにて変換された電子データをＲＦタグ付複写用紙のＲＦタグに記録する紙面情報記録ステップを有する請求項１７に記載の複写方法。
【発明の詳細な説明】
【技術分野】
【０００１】
本発明は、複写装置に関するものである。
【背景技術】
【０００２】
印刷物を管理するにあたり、印刷者、印刷日時などの情報を書込んだＲＦＩＤタグを付して印刷物を排出できるシステムはすでに提案されている。（例えば、特許文献１参照）。
【特許文献１】特開２００４−３１０２９３号公報
【発明の開示】
【発明が解決しようとする課題】
【０００３】
しかしながら、上記手法においては、専ら文書の管理のために印刷者、印刷日時などの情報をＲＦＩＤタグに書込むことを目的としており、すでにコピーの対象となる原本紙にＲＦＩＤタグが付されていることは想定されていない。したがって、ＲＦＩＤタグを付してすでに管理されている文書については、ＲＦＩＤタグ内に蓄積されている情報を継承しつつ、さらに新たな情報を追記し、文書管理の履歴を残すことはできない。
【課題を解決するための手段】
【０００４】
本発明は、かかる実情に鑑み、原本紙の紙面を複写用紙に複写し、ＲＦタグ付原本紙のＲＦタグに書き込まれているタグ情報を取得して利用できる複写装置を提案するものである。取得したタグ情報に基づいてタグ情報の内容を文字に翻訳した情報や、タグ情報の内容をバーコード（一次元、二次元）に加工した情報などを印刷することができる。また、原本紙に付されたＲＦタグの内容だけでなく、原本紙の紙面の内容や、時間情報を複写用紙のＲＦタグに記録することができる。なお、原本紙の紙面を電子データ化したものは要約関数にて要約した要約済電子データへと変換するとしてもよい。さらに、タグ情報に基づいて複写装置自身を制御することもできる。
【発明の効果】
【０００５】
以上、説明したように本件発明のいずれか一又は二以上の発明に係る複写装置は、原本紙の紙面を複写用紙に複写する際に、同時にＲＦタグに書き込まれているタグ情報も取得できるため、ＲＦタグを付してすでに管理されている文書についても、ＲＦＩＤタグ内に蓄積されている情報を継承できる。また、さらに新たな情報を追記等して、文書管理の履歴を残すなど利用価値が高い。
【発明を実施するための最良の形態】
【０００６】
以下に、各発明を実施するための最良の形態を説明する。なお、本発明はこれら実施の形態に何ら限定されるものではなく、その要旨を逸脱しない範囲において、種々なる態様で実施しうる。
【０００７】
実施形態１は、請求項１、１１から１５などについて説明する。  実施形態２は、請求項２、１６などについて説明する。  実施形態３は、請求項３から７、１７、１８などについて説明する。  実施形態４は、請求項８から１０などについて説明する。
【０００８】
<<実施形態１>>
【０００９】
<実施形態１：概要>  本実施形態は、原本紙の紙面を複写用紙に複写し、ＲＦタグ付原本紙のＲＦタグに書き込まれているタグ情報を取得して利用する複写装置である。
【００１０】
図１は、本実施形態の概念の一例を示すものである。図中央に示したのが、本実施形態の複写装置であり、右側が複写の対象となる原本紙、左側が複写後に排出された複写用紙である。まず本件発明における複写装置は、通常の複写装置と同様に、原本紙の紙面を複写することができ、図示したように原本紙に記載された表やグラフなどが複写用紙に複写される。ここで本複写装置は、原本紙（図中で右下隅）にＲＦタグが付されており、ＲＦタグ内にはタグ情報が書き込まれている。タグ情報は、具体的には、書類の作成日時、作成者、書類のタイトル、書類の属性（写真、モノクロの別など）、書類のサイズなどが該当する。複写装置は、タグ情報を取得し、例えば、文字にして複写用紙の紙面に印刷するなどして利用できる。これについては、実施形態２にて詳述する。
【００１１】
<実施形態１：構成>  本実施形態での機能ブロックの一例を図２に示した。  図２に示す本実施形態の「複写装置」（０２００）は、「ＲＦタグ付原本紙配置部」（０２０１）と、「タグ情報取得部」（０２０２）と、「複写部」（０２０３）と、を有する。
【００１２】
「ＲＦタグ付原本紙配置部」（０２０１）は、ＲＦタグ付原本紙を配置する。「ＲＦタグ付原本紙」とは、複写の対象となる原本紙であって、ＲＦタグが付されたものをいう。
【００１３】
「タグ情報取得部」（０２０２）は、ＲＦタグ付原本紙配置部（０２０１）に配置されたＲＦタグ付原本紙のＲＦタグに書き込まれているタグ情報を取得する。「タグ情報」とは、ＲＦタグに保持されている情報をいう。具体的には、書類の作成日時、作成者、書類のタイトル、書類の属性（写真、モノクロの別など）、書類のサイズ、書類の複写回数などが該当する。取得したタグ情報は、例えば、文字にして複写用紙の紙面に印刷するなどして利用できるが、これについては、実施形態２にて詳述する。
【００１４】
ここで、図３は、タグ情報取得部の電波発信器又は／及び電波受信器の配置の一例を示したものである。（ａ）は複写装置を上から見た図であり、電波発信器又は／及び電波受信器がスキャニング手段の走査機構に配置されている状態を示した。複写装置では、原本紙に光を当て、スキャナ部のレンズにて反射した光の情報を取り込む。例えば、このレンズの裏側の部分に電波発信器又は／及び電波受信器を配置することが想定される。つまり、通常の複写装置と同様に原本紙のＲＦタグ以外の紙面の部分を複写する際に、同時にＲＦタグもスキャニングすることができる。なお、ＲＦタグ付原本紙が移動するため、動磁場が発生する。
【００１５】
また、図３（ｂ）は複写装置を俯瞰で見た図であり、電波発信器又は／及び電波受信器が、ＲＦタグ付原本が原本セット皿からＲＦタグ付原本紙配置部に至る経路中に設けられている状態を示した。これは具体的には複写装置のソータ部分に配置されていることを想定したものである。つまり、ＲＦタグ付原本が原本セット皿にセットされ、複写に際してＲＦタグ付原本紙配置部に移動する時点で、ＲＦタグもスキャニングされていることになる。このとき、複数のＲＦタグ付原本紙が原本セット皿からＲＦタグ付原本紙配置部に移動したとしても、電波の発信／受信がそれぞれのＲＦタグに対して的確に実行できるようにすべきである。そのためには図で示したように、例えば、下方向に電波を発信し、あるいは、下方向の電波発生源から電波を受信できるように電波発信器又は／及び電波受信器を配置する必要がある。
【００１６】
さらに、図４（ｃ）は複写装置を上から見た図であり、電波発信器又は／及び電波受信器が、スキャニング手段がスキャニングする際に外光がスキャニングされるのを防止するための蓋に配置されている状態を示した。つまり、複写装置の蓋部分を閉じて原本紙を複写する際に、同時にＲＦタグもスキャニングすることができる。
【００１７】
また、図４（ｄ）は複写装置を横から見た図であり、電波発信器又は／及び電波受信器が、ＲＦタグ付複写用紙が複写部から排出された後、複写済み用紙受け皿に至る経路中に設けられている状態を示した。つまり、複写装置と同様に原本紙のＲＦタグ以外の紙面の部分が複写される際に、トナーはヒーターで加熱して固定、定着されるが、このときのモーターの作動に付随して同時にＲＦタグもスキャニングすることができる。
【００１８】
「複写部」（０２０３）は、原本紙の紙面を、複写用紙に複写する。通常の複写装置と同様に、原本紙の紙面の部分を複写することができる。複写装置では、原本紙に光を当て、スキャナ部のレンズにて反射した光の情報を取り込む。レンズで読み取った光の情報はドラム部分に与えられる。このときドラム部分は光が当たると静電気を失う性質があるため、光の情報で示された部分だけ静電気が失われる。つまり、白黒コピーの場合、原稿の白い部分には静電気が無くなり、黒い部分だけ静電気が残る。ドラムにトナーをこすりつけることで、静電気の残った部分だけトナーがつく。ドラムと紙を重ねて、紙の方にドラムより強い静電気を与えると、ドラムから原稿の情報が移る。最後に、紙に付着したトナーをヒーターで加熱して固定、定着させる。
【００１９】
「複写装置」（０２００）は、複写機能を有する装置一般を広く含み、プリンタや複合機なども該当する場合がある。
【００２０】
<ハードウエア構成>  本件発明における複写装置のハードウエア構成の一例を図５に示した。本件発明の構成要素は、ハードウエア、ソフトウエア、ハードウエアとソフトウエアの両者、のいずれかによって構成される。例えば、これらを実現する一例として、ＣＰＵ、メモリ（ＤＲＡＭ、ＲＯＭ）、バス、Ｉ／Ｏなどから構成されるハードウエアと、これらのハードウエア上にて実行可能なソフトウエアを挙げることができる。具体的には、メモリ上に展開されたプログラムを順次実行することで、メモリ上のデータや、Ｉ／Ｏを介して入力されるデータの加工、蓄積、出力などにより構成要素である各部の機能が実現される。例えば、ＲＦタグ付原本紙のＲＦタグ部分をスキャナにて読み取り、タグ情報を取得して、一旦メモリなどに保持する。タグ情報は、Ｉ／Ｏを介してＨＤＤなどに蓄積され、また、タグ情報を加工するためのプログラムが実行されれば、蓄積されたタグ情報が読み出され、適宜加工が行われた後、様々な手法にて出力される。（本明細書の全体を通して同様である。）
【００２１】
<実施形態１：処理の流れ>  図６は、本発明における複写方法の流れの一例を示したものである。まず、ＲＦタグ付原本紙を配置する（ＲＦタグ付原本紙配置ステップ  Ｓ０６０１）。次に、ＲＦタグ付原本配置ステップ（Ｓ０６０１）にて配置されたＲＦタグ付原本紙のＲＦタグに書き込まれているタグ情報を取得する（タグ情報取得ステップ  Ｓ０６０２）。最後に、原本紙の紙面を、複写用紙に複写する（複写ステップ  Ｓ０６０３）。
【００２２】
以上の処理は、計算機に実行させるためのプログラムで実行することができ、また、このプログラムを計算機によって読取り可能な記録媒体に記録することができる。（本明細書の全体を通して同様である。）
【００２３】
<実施形態１：効果>  本実施形態は、原本紙の紙面を複写用紙に複写し、ＲＦタグ付原本紙のＲＦタグに書き込まれているタグ情報を取得して利用する複写装置である。原本紙の紙面を複写用紙に複写する際に、同時にＲＦタグに書き込まれているタグ情報も取得できるため、ＲＦタグを付してすでに管理されている文書についても、ＲＦＩＤタグ内に蓄積されている情報を継承できる。
【００２４】
<<実施形態２>>
【００２５】
<実施形態２：概要>  本実施形態は、取得したタグ情報に基づいて複写用紙にタグ依存情報を印刷することに特徴を有する複写装置である。
【００２６】
<実施形態２：構成>  本実施形態での機能ブロックの一例を図７に示した。  図７に示す本実施形態の「複写装置」（０７００）は、「ＲＦタグ付原本紙配置部」（０７０１）と、「タグ情報取得部」（０７０２）と、「複写部」（０７０３）と、を有し、さらに、複写部（０７０３）は「タグ依存情報印刷手段」（０７０４）を有する。
【００２７】
「タグ依存情報印刷手段」（０７０４）は、タグ情報取得部（０７０２）にて取得したタグ情報に基づいて複写用紙にタグ依存情報を印刷する。「タグ依存情報」とは、タグ情報の全部、または、一部に基づいて生成した情報をいい、例えば、タグ情報の内容を文字に翻訳した情報や、タグ情報の内容をバーコード（一次元、二次元）に加工した情報などが該当する。その他、ストレージされていた内容（例えば、資料の詳細情報等）などがタグ依存情報として読み出される場合もある。タグ依存情報は、ドラムに与える光の情報へと変換プログラムにより変換され、ドラムが感光されることで印刷が実現できる。タグ依存情報は、複写用紙の紙面部分に印刷される。印刷は、原本紙の紙面部分が印刷される部分以外の余白部分や、別の複写用紙などに印刷されることが想定されるが、印刷位置は特に問わない。
【００２８】
その他各部の処理については実施形態１と同様である。
【００２９】
<実施形態２：処理の流れ>  図８は、本発明における複写方法の流れの一例を示したものである。まず、ＲＦタグ付原本紙を配置する（ＲＦタグ付原本紙配置ステップ  Ｓ０８０１）。次に、ＲＦタグ付原本配置ステップ（Ｓ０８０１）にて配置されたＲＦタグ付原本紙のＲＦタグに書き込まれているタグ情報を取得する（タグ情報取得ステップ  Ｓ０８０２）。その次に、原本紙の紙面を、複写用紙に複写する（複写ステップ  Ｓ０８０３）。最後に、タグ情報取得ステップにて（Ｓ０８０２）にて取得したタグ情報に基づいて複写用紙にタグ依存情報を印刷する（タグ依存情報印刷ステップ  Ｓ０８０４）。
【００３０】
<実施形態２：効果>  本実施形態は、取得したタグ情報に基づいて複写用紙にタグ依存情報を印刷することに特徴を有する複写装置である。タグ依存情報として、タグ情報の内容を文字に翻訳した情報や、タグ情報の内容をバーコード（一次元、二次元）に加工した情報などが複写用紙に印刷されれば、ＲＦタグ内の情報を別の形にて利用でき、利用範囲が拡大することが期待できる。
【００３１】
<<実施形態３>>
【００３２】
<実施形態３：概要>  本実施形態は、情報をＲＦタグ付複写用紙のＲＦタグに記録することに特徴を有する複写装置である。
【００３３】
<実施形態３：構成１>  本実施形態での機能ブロックの一例を図９に示した。  図９に示す本実施形態の「複写装置」（０９００）は、「ＲＦタグ付原本紙配置部」（０９０１）と、「タグ情報取得部」（０９０２）と、「複写部」（０９０３）と、さらに、「タグ情報記録部」（０９０４）と、を有する。なお図示していないが、複写部（０９０３）は「タグ依存情報印刷手段」を有するとしてもよい。
【００３４】
「タグ情報記録部」（０９０４）は、複写用紙がＲＦタグ付複写用紙である場合に、情報をＲＦタグ付複写用紙のＲＦタグに記録する。「ＲＦタグへの記録」とは、既存の情報を消去することなく追加して書き込む場合の他、既存の情報に上書きする場合もある。タグ情報の取得と、記録の先後は問わない。
【００３５】
タグ情報記録部は、「原本紙タグ情報記録手段」を有する場合がある。このとき、記録する情報は、タグ情報取得部（０９０２）にて取得したタグ情報である。つまり、図で示した例では、原本に付されたＲＦタグ内の情報である「０５／０７／１０  ｕｓｅｒ：Ａ」が、複写用紙に付されるＲＦタグ内にそのまま複写されることになる。
【００３６】
タグに情報を記録するにあたり、複写用紙のどの部分にタグが付されているかを検索する機能を有するとしてもよい。これは用紙サイズを高速にてスキャンする際にＲＦタグの影を見つけることで検索できる。これにより複写用紙の任意の部分にＲＦタグを付することができる。
【００３７】
その他各部の処理については実施形態１、２と同様である。
【００３８】
<実施形態３：構成２>  本実施形態での機能ブロックの別の例を図１０に示した。  図１０に示す本実施形態の「複写装置」（１０００）は、「ＲＦタグ付原本紙配置部」（１００１）と、「タグ情報取得部」（１００２）と、「複写部」（１００３）と、「タグ情報記録部」（１００４）と、さらに、「時間情報生成部」（１００５）と、を有し、タグ情報記録部（１００４）は「時間情報記録手段」（１００６）を有する。なお図示していないが、複写部（１００３）は「タグ依存情報印刷手段」を有するとしてもよい。
【００３９】
「時間情報生成部」（１００５）は、時間情報を生成する。「時間情報」とは、複写・印刷日時を示す情報である。複写装置内部のタイマなどにより、複写等の際に現在時刻が取得され、時間情報として生成される。あるいは、現在時刻に所定の時間を加えて（例えば、１日など）複写可能期限を示すとしてもよい。
【００４０】
「時間情報記録手段」（１００６）は、時間情報生成部（１００５）にて生成された時間情報を記録する。つまり、複写用紙に付されるＲＦタグ内に、複写等が行われた時間を示す情報が複写されることになる。時間情報は、タイムスタンプとして文書管理に活用できる。
【００４１】
その他各部の処理については実施形態１、２と同様である。
【００４２】
<実施形態３：構成３>  本実施形態での機能ブロックの別の例を図１１に示した。  図１１に示す本実施形態の「複写装置」（１１００）は、「ＲＦタグ付原本紙配置部」（１１０１）と、「タグ情報取得部」（１１０２）と、「複写部」（１１０３）と、「タグ情報記録部」（１１０４）と、を有する。さらに、複写部（１１０３）は「電子データ変換手段」（１１０５）を有し、タグ情報記録部（１１０４）は「紙面情報記録手段」（１１０６）を有する。なお図示していないが、複写部（１１０３）は「タグ依存情報印刷手段」を有するとしてもよい。
【００４３】
「電子データ変換手段」（１１０５）は、原本紙の紙面を電子データとするための処理を行う。原本紙の紙面は複写用紙に複写される一方、原本紙の紙面に記載されていた文字、図形等を電子データへと変換する。メモリ上に展開されたＡＤ変換プログラムが実行され、アナログデータが電子データへと変換される。このとき、ＯＣＲにてテキストへ変換される場合や、音声変換プログラムにて音声情報へ変換される場合もある。
【００４４】
「紙面情報記録手段」（１１０６）は、電子データ変換手段（１００５）にて変換された電子データを記録する。つまり、ＲＦタグには、原本紙に付されたＲＦタグに書き込まれていた情報に加えて、電子データ化された原本紙の紙面の情報も記録されることになる。
【００４５】
その他各部の処理については実施形態１、２と同様である。
【００４６】
<実施形態３：構成４>  本実施形態での機能ブロックの別の例を図１２に示した。  図１２に示す本実施形態の「複写装置」（１２００）は、「ＲＦタグ付原本紙配置部」（１２０１）と、「タグ情報取得部」（１２０２）と、「複写部」（１２０３）と、「タグ情報記録部」（１２０４）と、さらに、「要約部」（１２０７）と、を有する。また、複写部（１２０３）は「電子データ変換手段」（１２０５）を有し、タグ情報記録部（１２０４）は「紙面情報記録手段」（１２０６）と、さらに、「要約済電子データ記録手段」（１２０８）と、を有する。なお図示していないが、複写部（１２０３）は「タグ依存情報印刷手段」を有するとしてもよい。
【００４７】
「要約部」（１２０７）は、電子データ変換手段（１２０５）にて変換された電子データを要約関数にて要約する。要約関数としては、ハッシュ関数などが該当する。ハッシュ関数は、与えられた電子データから固定長の擬似乱数を生成する演算手法で、生成した値（ハッシュ値）を比較することで、電子データが改ざんされていないか確認できる。
【００４８】
「要約済電子データ記録手段」（１２０８）は、前記要約部（１２０７）で要約された原本紙の紙面の電子データである要約済電子データをＲＦタグ付複写用紙のＲＦタグに記録する。つまり、ＲＦタグには、原本紙に付されたＲＦタグに書き込まれていた情報に加えて、電子データ化された原本紙の紙面の情報と、これを要約関数にて要約した要約済電子データも記録されることになる。
【００４９】
その他各部の処理については実施形態１、２と同様である。
【００５０】
<実施形態３：処理の流れ>  図１３は、本発明における複写方法の流れの一例を示したものである。まず、ＲＦタグ付原本紙を配置する（ＲＦタグ付原本紙配置ステップ  Ｓ１３０１）。次に、ＲＦタグ付原本配置ステップ（Ｓ１３０１）にて配置されたＲＦタグ付原本紙のＲＦタグに書き込まれているタグ情報を取得する（タグ情報取得ステップ  Ｓ１３０２）。その次に、タグ情報取得ステップにて（Ｓ１３０２）にて取得したタグ情報をＲＦタグ付複写用紙のＲＦタグに記録する（タグ情報記録ステップ  Ｓ１３０３）。一方、原本紙の紙面を、複写用紙に複写する（複写ステップ  Ｓ１３０４）。さらに、原本紙の紙面を電子データとし（電子データ変換ステップ  Ｓ１３０５）、変換された電子データをＲＦタグ付複写用紙のＲＦタグに記録する（紙面情報記録ステップ  Ｓ１３０６）。なお、電子データを要約関数にて要約し、さらに要約済電子データをもＲＦタグ付複写用紙のＲＦタグに記録する場合もある。
【００５１】
<実施形態３：効果>  本実施形態は、情報をＲＦタグ付複写用紙のＲＦタグに記録することに特徴を有する複写装置である。原本紙に付されたＲＦタグの内容だけでなく、原本紙の紙面の内容や、時間情報を複写用紙のＲＦタグに記録することができることで複写のバリエーションが広がる。また、時間情報や、原本紙の紙面を電子データ化したものを要約関数にて要約した要約済電子データをＲＦタグ付複写用紙のＲＦタグに記録することで、データが改ざんされていないことを確認できる。
【００５２】
<<実施形態４>>
【００５３】
<実施形態４：概要>  本実施形態は、タグ情報に基づいて複写装置自身を制御することに特徴を有する複写装置である。
【００５４】
<実施形態４：構成１>  本実施形態での機能ブロックの一例を図１４に示した。  図１４に示す本実施形態の「複写装置」（１４００）は、「ＲＦタグ付原本紙配置部」（１４０１）と、「タグ情報取得部」（１４０２）と、「複写部」（１４０３）と、さらに、「制御部」（１４０４）と、を有する。なお、実施形態１の機能ブロックを基本としたが、その他の実施形態を基本とする場合には他の構成要件を要する場合がある。
【００５５】
「制御部」（１４０４）は、タグ情報取得部（１４０２）にて取得されたタグ情報に基づいて複写装置自身を制御するための処理を行う。「タグ情報に基づく制御」とは、例えば、原本紙の属性（写真、モノクロなど）に応じて、複写方法（カラー／モノクロ）を切り替えるなどの処理が想定される。その他、複写部数や、両面／片面印刷の別などに応じて制御されるものが例示できる。
【００５６】
その他各部の処理については実施形態１から３と同様である。
【００５７】
<実施形態４：構成２>  本実施形態での機能ブロックの別の例を図１５に示した。  図１５に示す本実施形態の「複写装置」（１５００）は、「ＲＦタグ付原本紙配置部」（１５０１）と、「タグ情報取得部」（１５０２）と、「複写部」（１５０３）と、「制御部」（１５０４）と、を有し、さらに、制御部（１５０４）は「複写制御手段」（１５０５）を有する。なお、実施形態１の機能ブロックを基本としたが、その他の実施形態を基本とする場合には他の構成要件を要する場合がある。
【００５８】
「複写制御手段」（１５０５）は、タグ情報取得部（１５０２）にて取得されたタグ情報に基づいて複写部のスキャニングを制御する。「タグ情報に基づくスキャニングの制御」とは、例えば、原本紙の印字範囲（用紙サイズなど）に応じて、最適範囲にてスキャニングを実行することなどが該当する。
【００５９】
その他各部の処理については実施形態１から３と同様である。
【００６０】
<実施形態４：構成３>  本実施形態での機能ブロックの別の例を図１６に示した。  図１６に示す本実施形態の「複写装置」（１６００）は、「ＲＦタグ付原本紙配置部」（１６０１）と、「タグ情報取得部」（１６０２）と、「複写部」（１６０３）と、「制御部」（１６０４）と、を有し、制御部は「複写制御手段」（１６０５）を有し、複写制御手段は、さらに、「禁止制御器」（１６０６）を有する。なお、実施形態１の機能ブロックを基本としたが、その他の実施形態を基本とする場合には他の構成要件を要する場合がある。
【００６１】
「禁止制御器」（１６０６）は、タグ情報取得部（１６０２）にて取得されたタグ情報に基づいて原本紙の紙面の全部又は一部の複写を禁止するための処理を行う。「タグ情報に基づく複写の禁止」とは、例えば、タグ情報にて原本紙の紙面の複写を禁止する範囲を指定することで、その範囲については複写ができなくなることなどが該当する。
【００６２】
その他各部の処理については実施形態１から３と同様である。
【００６３】
<実施形態４：処理の流れ>  図１７は、本発明における複写方法の流れの一例を示したものである。まず、ＲＦタグ付原本紙を配置する（ＲＦタグ付原本紙配置ステップ  Ｓ１７０１）。次に、ＲＦタグ付原本配置ステップ（Ｓ１７０１）にて配置されたＲＦタグ付原本紙のＲＦタグに書き込まれているタグ情報を取得する（タグ情報取得ステップ  Ｓ１７０２）。その次に、タグ情報取得ステップにて（Ｓ１７０２）にて取得したタグ情報に基づいて複写装置自身を制御する（制御ステップ  Ｓ１７０３）。最後に、前記制御に基づいて原本紙の紙面を、複写用紙に複写する（複写ステップ  Ｓ１７０４）。
【００６４】
<実施形態４：効果>  本実施形態は、タグ情報に基づいて複写装置自身を制御することに特徴を有する複写装置である。タグ情報に複写方法や、スキャニングサイズを書き込んでおくことで、複写の際に複写装置に入力する手間が省け便利である。また、タグ情報に基づいて複写禁止できることで、機密書類が複写されて漏えいすることを予防でき、安心である。
【図面の簡単な説明】
【００６５】
【図１】実施形態１を説明するための概念図
【図２】実施形態１を説明するための機能ブロック図
【図３】実施形態１における電波発信器等を具体的に説明するための図（その１）
【図４】実施形態１における電波発信器等を具体的に説明するための図（その２）
【図５】本件発明のハードウエア構成を説明するための機能ブロック図
【図６】実施形態１の処理の流れを説明する図
【図７】実施形態２を説明するための機能ブロック図
【図８】実施形態２の処理の流れを説明する図
【図９】実施形態３の構成１を説明するための機能ブロック図
【図１０】実施形態３の構成２を説明するための機能ブロック図
【図１１】実施形態３の構成３を説明するための機能ブロック図
【図１２】実施形態３の構成４を説明するための機能ブロック図
【図１３】実施形態３の処理の流れを説明する図
【図１４】実施形態４の構成１を説明するための機能ブロック図
【図１５】実施形態４の構成２を説明するための機能ブロック図
【図１６】実施形態４の構成３を説明するための機能ブロック図
【図１７】実施形態４の処理の流れを説明する図
【符号の説明】
【００６６】
０２００    複写装置
０２０１    ＲＦタグ付原本紙配置部
０２０２    タグ情報取得部
０２０３    複写部
【図１】
2007043454.tif 000003
【図２】
2007043454.tif 000004
【図３】
2007043454.tif 000005
【図４】
2007043454.tif 000006
【図５】
2007043454.tif 000007
【図６】
2007043454.tif 000008
【図７】
2007043454.tif 000009
【図８】
2007043454.tif 000010
【図９】
2007043454.tif 000011
【図１０】
2007043454.tif 000012
【図１１】
2007043454.tif 000013
【図１２】
2007043454.tif 000014
【図１３】
2007043454.tif 000015
【図１４】
2007043454.tif 000016
【図１５】
2007043454.tif 000017
【図１６】
2007043454.tif 000018
【図１７】
2007043454.tif 000019